(57)【要約】【課題】防犯性の高い建物用電気錠及び建物用電気錠システムを提供する。【解決手段】建物用電気錠１は、建物のドア８内部に設けられる制御装置２から印加される駆動電圧に基づきドア８の屋内側の側面に設けられる駆動装置１２が作動することにより、ドア８内部に設けられるデッドボルト１１が建物側に設けられる凹部に係合する施錠位置と同係合が解除される解錠位置との間を変位する。建物用電気錠１は、駆動装置１２に近接して、制御装置２と駆動装置１２との間に設けられるとともに、制御装置２とは通信用配線Ｗｂにより接続され、駆動装置１２とは電力供給用配線Ｗａにより接続される変換回路１３を備える。変換回路１３は、制御装置２から通信用配線Ｗｂを通じて出力されるデッドボルト１１を解錠動作又は施錠動作させるための制御信号を受信すると、電力供給用配線Ｗａを通じて駆動装置１２に駆動電圧を印加することにより駆動装置１２を作動させる。【選択図】図２
2008184780.tif 000002
【特許請求の範囲】
【請求項１】
建物のドア内部に設けられる制御装置から印加される駆動電圧に基づきドアの屋内側の側面に設けられる駆動装置が作動することにより、ドア内部に設けられる錠が建物側に設けられる凹部に係合する施錠位置と同係合が解除される解錠位置との間を変位する建物用電気錠において、
前記駆動装置に近接して、前記制御装置と前記駆動装置との間に設けられるとともに、同制御装置とは通信用配線により接続され、同駆動装置とは電力供給用配線により接続される変換回路を備え、
前記変換回路は、前記制御装置から通信用配線を通じて出力される前記錠を解錠動作又は施錠動作させるための制御信号が入力すると、前記電力供給用配線を通じて前記駆動装置に駆動電圧を印加することにより同駆動装置を作動させる
ことを特徴とする建物用電気錠。
【請求項２】
請求項１に記載の建物用電気錠において、
前記変換回路には、前記通信用配線により接続された制御装置を通信相手として特定させる際に操作されるペアリングスイッチが接続され、
前記ペアリングスイッチが操作された際には、接続された制御装置の認証情報に基づき同制御装置と前記変換回路とが一対一で関連付けられ、
前記制御装置から通信用配線を通じて制御信号が入力した際には、前記変換回路は、同制御信号に含まれる認証情報を照合し一致した場合には電力供給用配線を通じて駆動装置へ駆動電圧を印加する
ことを特徴とする建物用電気錠。
【請求項３】
請求項１又は２に記載の建物用電気錠において、
前記変換回路には、前記錠が施錠位置又は解錠位置にある旨検出する検出センサが接続され、同検出センサからの検出情報は変換回路を通じて制御装置へ出力される
ことを特徴とする建物用電気錠。
【請求項４】
請求項１〜３のいずれか一項に記載の建物用電気錠と、前記建物用電気錠を制御する前記制御装置と、ドアの屋内側の所定領域にリクエスト信号を出力するとともに同リクエスト信号に対する携帯機からの信号を屋内側で受信する屋内アンテナと、屋外側の所定領域にリクエスト信号を出力するとともに同リクエスト信号に対する携帯機からの信号を屋外側で受信する屋外アンテナとを備え、
前記携帯機からの信号を受信するときには、前記制御装置は前記錠を解錠する旨の信号を前記変換回路へ前記通信用配線を通じて出力し、前記変換回路は同信号に基づいて前記駆動装置へ前記電力供給用配線を通じて前記駆動電圧を印加することにより前記駆動装置を駆動させて前記錠を解錠し、
前記携帯機からの信号を受信しないときには、前記制御装置は前記錠を施錠する旨の信号を前記変換回路へ前記通信用配線を通じて出力し、前記変換回路は同信号に基づいて前記駆動装置へ前記電力供給用配線を通じて前記駆動電圧を印加することにより前記駆動装置を駆動させて前記錠を施錠する
ことを特徴とする建物用電気錠システム。
【発明の詳細な説明】
【技術分野】
【０００１】
この発明は、建物用電気錠及び建物用電気錠システムに関する。
【背景技術】
【０００２】
建物用電気錠システムでは、携帯機を操作することによって建物のドアの施解錠を遠隔で行っている（例えば、特許文献１参照。）。建物用電気錠システムは、例えば、図４に示されるように、ドア８に設けられる電気的にドア８の施解錠を行う電気錠４０と、同電気錠４０を制御する制御装置５０と、建物の使用者が所持する携帯機２０と無線通信を行うアンテナ（図示略）と、室内から電気錠４０を操作する操作盤７とを備えている。制御装置５０は、携帯機２０からの信号をアンテナ通じて受信すると、その信号に含まれるＩＤコードを照合し、一致すると、電気錠４０に設けられる駆動装置１２を制御してドア８の施解錠を行う。
【特許文献１】特開２００１−２４１２２７号公報
【発明の開示】
【発明が解決しようとする課題】
【０００３】
上記のような建物用電気錠システムにおいては、図４の円内のＢ矢視断面図に示されるように、電気錠４０の駆動装置１２には、制御装置５０から電力供給用配線Ｗａを通じて直接電圧が印加されている。そのため、建物への侵入を試みる侵入者が駆動装置１２の電力供給用配線Ｗａに対して電圧を印加すると駆動装置１２が駆動され、ドア８が解錠されるおそれがある。なお、上記構成のようにアンテナによって携帯機２０と無線通信を行うものに限らず、直接暗証番号を入力装置に入力することによって電気的にドアの施解錠を行う電気錠においても同様のおそれがある。
【０００４】
この発明は、こうした実情に鑑みてなされたものであり、その目的は、防犯性の高い建物用電気錠及び建物用電気錠システムを提供することにある。
【課題を解決するための手段】
【０００５】
以下、上記目的を達成するための手段及びその作用効果について説明する。
請求項１に記載の発明は、建物のドア内部に設けられる制御装置から印加される駆動電圧に基づきドアの屋内側の側面に設けられる駆動装置が作動することにより、ドア内部に設けられる錠が建物側に設けられる凹部に係合する施錠位置と同係合が解除される解錠位置との間を変位する建物用電気錠において、前記駆動装置に近接して、前記制御装置と前記駆動装置との間に設けられるとともに、同制御装置とは通信用配線により接続され、同駆動装置とは電力供給用配線により接続される変換回路を備え、前記変換回路は、前記制御装置から通信用配線を通じて出力される前記錠を解錠動作又は施錠動作させるための制御信号が入力すると、前記電力供給用配線を通じて前記駆動装置に駆動電圧を印加することにより同駆動装置を作動させることをその要旨としている。
【０００６】
同構成によれば、電気錠の外部に設けられる制御装置と電気錠の変換回路とは通信用配線により接続されるため、建物への侵入を試みる侵入者が何らかの方法によりドアに穴を開け、通信用配線に対して電圧を印加しても、駆動装置が駆動することはできないため、防犯性を高くすることができる。なお、従来は駆動装置へ制御装置から電力供給用配線が接続されていたが、本発明は駆動装置へ駆動装置に近接して設けられる変換回路から電力供給用配線が接続されるため、配線が短く、例えばドアに外部から穴を開けた場合であれ、侵入者が同配線に電圧を印加するのは困難である。
【０００７】
請求項２に記載の発明は、請求項１に記載の建物用電気錠において、前記変換回路には、前記通信用配線により接続された制御装置を通信相手として特定させる際に操作されるペアリングスイッチが接続され、前記ペアリングスイッチが操作された際には、接続された制御装置の認証情報に基づき同制御装置と前記変換回路とが一対一で関連付けられ、前記制御装置から通信用配線を通じて制御信号が入力した際には、前記変換回路は、同制御信号に含まれる認証情報を照合し一致した場合には電力供給用配線を通じて駆動装置へ駆動電圧を印加することをその要旨としている。
【０００８】
同構成によれば、ペアリングスイッチが操作された際には、制御装置と接続認証を行い、制御装置から信号を受信する際には、認証情報を照合するため、何らかの方法で通信用配線に対して侵入者が錠（ボルト）を解錠する信号を出力したとしても、認証情報が一致しないので、解錠されることはない。その結果、さらに防犯性を高くすることができる。
【０００９】
請求項３に記載の発明は、請求項１又は２に記載の建物用電気錠において、前記変換回路には、前記錠が施錠位置又は解錠位置にある旨検出する検出センサが接続され、同検出センサからの検出情報は変換回路を通じて制御装置へ出力されることをその要旨としている。
【００１０】
同構成によれば、制御装置は電気錠に設けられた検出センサを通じて、電気錠の施錠及び解錠状態を把握することができる。
請求項４に記載の発明は、請求項１〜３のいずれか一項に記載の建物用電気錠と、前記建物用電気錠を制御する前記制御装置と、ドアの屋内側の所定領域にリクエスト信号を出力するとともに同リクエスト信号に対する携帯機からの信号を屋内側で受信する屋内アンテナと、屋外側の所定領域にリクエスト信号を出力するとともに同リクエスト信号に対する携帯機からの信号を屋外側で受信する屋外アンテナとを備え、前記携帯機からの信号を受信するときには、前記制御装置は前記錠を解錠する旨の信号を前記変換回路へ前記通信用配線を通じて出力し、前記変換回路は同信号に基づいて前記駆動装置へ前記電力供給用配線を通じて前記駆動電圧を印加することにより前記駆動装置を駆動させて前記錠を解錠し、前記携帯機からの信号を受信しないときには、前記制御装置は前記錠を施錠する旨の信号を前記変換回路へ前記通信用配線を通じて出力し、前記変換回路は同信号に基づいて前記駆動装置へ前記電力供給用配線を通じて前記駆動電圧を印加することにより前記駆動装置を駆動させて前記錠を施錠する建物用電気錠システムであることをその要旨としている。
【００１１】
同構成によれば、防犯性の高い建物用電気錠システムを提供することができる。
【発明の効果】
【００１２】
本発明によれば、建物用電気錠及び建物用電気錠システムにおいて、防犯性を高くすることができる。
【発明を実施するための最良の形態】
【００１３】
以下、本発明にかかる建物用電気錠を建物用電気錠システムに具体化した一実施形態について図１〜図３を参照して説明する。
図１に示されるように、建物用電気錠システムは、建物のドア８に設けられる電気錠１、制御装置２、屋内アンテナ３及び屋外アンテナ４、並びに建物の屋内側に設けられる操作盤７を備えている。そして、建物用電気錠システムは、建物の使用者が所持する携帯機２０との間の無線通信を通じて、ドア８の施解錠を行う。
【００１４】
ドア８の屋内側には、図１（ａ）に一点鎖線で示されるドア８近傍の所定領域Ａ１にリクエスト信号を間欠的に出力するとともに、同リクエスト信号に応答して携帯機２０から送信されるＩＤコードを含むＩＤコード信号を受信する屋内アンテナ３と、屋内側ドアノブ５と、手動で電気錠１を施解錠可能なサムターン１５とが設けられている。
【００１５】
ドア８の屋外側には、図１（ｂ）に一点鎖線で示されるドア８近傍の所定領域Ａ２にリクエスト信号を間欠的に出力するとともに、同リクエスト信号に応答して携帯機２０から送信されるＩＤコードを含むＩＤコード信号を受信する屋外アンテナ４と、屋外側ドアノブ６と、機械的な鍵を挿入することにより電気錠１を施解錠可能なキーシリンダ１６とが設けられている。
【００１６】
両アンテナ３，４は、携帯機２０から送信されたＩＤコード信号を受信すると、受信信号を制御装置２に出力する。制御装置２は、携帯機２０からのＩＤコード信号が受信されるときには電気錠１に解錠信号を出力するとともに、携帯機２０からのＩＤコード信号が受信されないときには電気錠１に施錠信号を出力する。
【００１７】
次に、電気錠１の内部構造について図２を参照して説明する。図２は、ドア８に配設された電気錠１とその周辺の構造を示している。
電気錠１は、ドア８の内部に設けられる錠機構１０と、ドア８の屋内側表面に設けられるケース１７とを備えている。ケース１７は、駆動装置１２と、変換回路１３と、ペアリングスイッチ１４とを収容する。同ケース１７の上面にサムターン１５が設けられている。ドア８の屋外側表面において、同サムターン１５のドア８を挟んで反対側の部位には、キーシリンダ１６が設けられている。なお、サムターン１５と駆動装置１２と錠機構１０とキーシリンダ１６とは、歯車等を介して回動軸１９によって連結されている。ケース１７は、取付板１８によってドア８に取り付けられている。
【００１８】
錠機構１０には、錠としてのデッドボルト１１が建物のドア８に対向する壁部に設けられる凹部（図示略）内に突出可能に備えられている。駆動装置１２には、モータ（図示略）が設けられ、同モータの駆動によって回動軸１９が回動し、デッドボルト１１は凹部内に突出したり、錠機構１０に収容されたりする。デッドボルト１１が突出されるとデッドボルト１１と凹部とが係合することによりドア８は施錠され、デッドボルト１１が錠機構１０に収容されるとデッドボルト１１と凹部との係合が解除されることによりドア８は解錠される。
【００１９】
サムターン１５を回動させたり、キーシリンダ１６に機械的な鍵を挿入し回動させたりした場合には、回動軸１９が回動することによってデッドボルト１１が突出又は収容されるが、駆動装置１２の歯車は噛み合わず、駆動装置１２には回動が伝わらないようになっている。
【００２０】
変換回路１３と制御装置２とは、通信用配線Ｗｂで接続される。変換回路１３と駆動装置１２とは、電力供給用配線Ｗａで接続される。変換回路１３は、駆動装置１２に近接して設置されているため、変換回路１３と駆動装置１２とを接続する電力供給用配線Ｗａは短く、同配線Ｗａを屋外側へ引き出して電圧を印加するのは困難である。変換回路１３は、制御装置２からの信号に基づいて駆動装置１２、正確にはそのモータに駆動電圧を印加する。変換回路１３とケース１７の下部に設けられるペアリングスイッチ１４とは、通信用配線Ｗｂで接続される。ケース１７の下部には蓋１７ａが設けられる。蓋１７ａが開けられ、ペアリングスイッチ１４が押圧されると、ペアリングスイッチ１４はＯＮ信号を変換回路１３に出力する。変換回路１３は、ＯＮ信号が入力すると、制御装置２に認証信号を出力し、接続認証を行う。なお、制御装置２と変換回路１３とは、制御装置２に接続された通信用配線Ｗｂの制御装置２と反対側の端部に設けられた制御装置側コネクタ３１と変換回路側コネクタ３２とによって接続されている。
【００２１】
次に、建物用電気錠システムの電気的な構成について図３を参照して説明する。
図３に示されるように、制御装置２は、屋内アンテナ３と、屋外アンテナ４と、操作盤７と、電気錠１の変換回路１３と接続されている。制御装置２は、ＩＤコード等を記憶するメモリ２ａを備えている。変換回路１３は、制御装置２と、駆動装置１２のモータ１２ａと、ペアリングスイッチ１４と接続されている。変換回路１３は、制御装置２と接続認証を行う際に使用する認証情報としての認証コードを記憶するメモリ１３ａを備えている。
【００２２】
ペアリングスイッチ１４は押圧されることにより、ＯＮ信号を変換回路１３に出力し、変換回路１３は制御装置２に対して接続認証を行う。すなわち、変換回路１３は、認証コードを出力する旨の認証信号を制御装置２に出力する。制御装置２は、認証信号が入力すると、メモリ２ａから認証コードを読み出し、同認証コードを含めた応答信号を変換回路１３に出力する。変換回路１３は、応答信号が入力すると、応答信号から認証コードを読み出し、メモリ１３ａに記憶する。このようにして、制御装置２と変換回路１３との間の接続認証が行われることにより、制御装置２と変換回路１３とは一対一で関連付けられ、制御装置２と変換回路１３との間での通信が可能となる。
【００２３】
制御装置２は、ドア８の屋内及び屋外に所定領域Ａ１，Ａ２を形成するリクエスト信号を出力するように屋内アンテナ３及び屋外アンテナ４に送信信号を間欠的に出力する。携帯機２０は、同リクエスト信号を受信すると、ＩＤコードを含むＩＤコード信号を送信する。屋内アンテナ３及び屋外アンテナ４は、同ＩＤコード信号が受信されると受信信号を制御装置２に出力する。制御装置２は、受信信号が入力すると、受信信号に含まれるＩＤコードとメモリ２ａから読み出したＩＤコードとを照合し、一致した場合には、メモリ２ａから認証コードを読み出し、認証コードを含む解錠信号を変換回路１３に出力する。変換回路１３は、解錠信号が入力すると、解錠信号に含まれる認証コードとメモリ１３ａから読み出した認証コードとを照合し、一致した場合には、モータ１２ａに駆動電圧を印加する。そして、モータ１２ａの駆動によってデッドボルト１１が錠機構１０に収容され、ドア８は解錠される。
【００２４】
一方、制御装置２は、受信信号の受信がない場合には、メモリ２ａから認証コードを読み出し、認証コードを含む施錠信号を変換回路１３に出力する。変換回路１３は、施錠信号が入力すると、施錠信号に含まれる認証コードとメモリ１３ａから読み出した認証コードとを照合し、一致した場合には、モータ１２ａに駆動電圧を印加する。そして、モータ１２ａの駆動によって、デッドボルト１１が錠機構１０から突出され、ドア８は施錠される。
【００２５】
操作盤７は、施錠又は解錠の操作ボタン（図示略）が操作されると、制御装置２にその旨の操作信号を出力する。制御装置２は、操作信号の施錠又は解錠に従い、変換回路１３に施錠信号又は解錠信号を出力する。変換回路１３は、上記と同様に施錠信号又は解錠信号に含まれる認証コードとメモリ１３ａから読み出した認証コードとを照合し、一致すると、ドア８の施錠又は解錠を行う。制御装置２は、駆動装置１２に設けられる施錠及び解錠を検出する検出手段としての検出センサ３５からの検出信号に基づき電気錠１の状態を検出し、操作盤７に施錠又は解錠の状態信号を出力する。操作盤７は、状態信号に基づいて施錠又は解錠の状態を表示する。
【００２６】
以上、説明した実施形態によれば、以下の作用効果を奏することができる。
（１）制御装置２と電気錠１の変換回路１３とは通信用配線Ｗｂにより接続されるため、建物への侵入を試みる侵入者が何らかの方法により通信用配線Ｗｂに対して電圧を印加しても、駆動装置１２が駆動することはできないため、防犯性を高くすることができる。なお、駆動装置１２へ駆動装置に近接して設けられる変換回路１３から電力供給用配線Ｗａが接続されるため、配線Ｗａが短く、例えばドア８に外部から穴を開けた場合であれ、電力供給用配線Ｗａを外部に引き出すことは困難であり、侵入者が同配線Ｗａに電圧を印加するのは困難である。
【００２７】
また、業界内における制御装置２と電気錠１の変換回路１３との間の通信方式を統一すれば、汎用性のある電気錠とすることができ、製造会社は制御装置のみ、又は電気錠のみを開発及び製造をすればよくなり、システム全てを開発及び製造する必要がなくなるため、開発コスト及び製造コストを削減することができる。例えば、あるメーカは、システムを構築するに際し、独自の動作仕様の制御装置のみを開発し、電気錠は汎用性のある他メーカのものを使用することができる。また、あるメーカは、汎用性のある電気錠のみを提供することも可能である。
【００２８】
（２）電気錠１は、ペアリングスイッチ１４が操作された際には、制御装置２と接続認証を行い、制御装置２から信号が入力した際には、認証コードを照合するため、何らかの方法で通信用配線Ｗｂに対して侵入者がデッドボルト１１を解錠する旨の解錠信号を出力したとしても、認証コードが一致しないので、解錠されることはない。その結果、さらに防犯性を高くすることができる。
【００２９】
（３）制御装置２は、電気錠１に設けられた検出センサ３５を通じて、電気錠１の施錠及び解錠状態を把握することができる。
なお、上記実施形態は、これを適宜変更した以下の形態にて実施することができる。
【００３０】
・上記実施形態では、モータ１２ａによって錠機構１０のデッドボルト１１を変位させるようにしたが、電磁ソレノイドを用いるストライクタイプでもよい。
・上記実施形態では、電気錠１を一つ設けるようにしたが、防犯性を高めるために他に電気錠を設けるようにしてもよい。
【００３１】
・上記実施形態では、携帯機２０を所持していれば、解錠又は施錠の操作をしなくてもドア８の施解錠が行われたが、携帯機２０の操作ボタンを操作することによってドア８の施解錠を行うようにしてもよい。
【００３２】
・あるいは、携帯機２０を使わないで、直接暗証番号をドア８又はその周辺に設けられた入力装置に入力することによってドア８の施解錠を行うようにしてもよい。
・上記構成において、電気錠１の施錠及び解錠状態を検出する検出センサ３５を省略した構成を採用することもできる。
【００３３】
・上記構成において、操作盤７を省略した構成を採用することもできる。
・上記実施形態では、ペアリングスイッチ１４が操作された際に接続認証を行うとともに、制御装置２から変換回路１３へ信号を出力する際に認証コードを照合するようにしたが、通信用配線Ｗｂによって防犯性が十分であれば、認証コードの接続認証及び照合を行わないようにしてもよい。
【００３４】
・上記実施形態では、変換回路１３をドア８の屋内側のケース１７内に設けるようにしたが、ドア８の内部の駆動装置１２に近接する位置に設けるようにしてもよい。
【図面の簡単な説明】
【００３５】
【図１】（ａ）（ｂ）建物用電気錠システムの構成図。
【図２】建物用電気錠のＡ−Ａ断面図。
【図３】建物用電気錠システムのブロック図。
【図４】建物用電気錠システムの構成図及び詳細断面図。
【符号の説明】
【００３６】
１…電気錠、２…制御装置、２ａ…メモリ、３…屋内アンテナ、４…屋外アンテナ、５…屋内側ドアノブ、６…屋外側ドアノブ、７…操作盤、８…ドア、１０…錠機構、１１…デッドボルト、１２…駆動装置、１３…変換回路、１３ａ…メモリ、１４…ペアリングスイッチ、１５…サムターン、１６…キーシリンダ、１７…ケース、１７ａ…蓋、１８…取付板、２０…携帯機、３１…制御装置側コネクタ、３２…変換回路側コネクタ、３５…検出センサ、４０…電気錠、５０…制御装置、Ａ１，Ａ２…所定領域、Ｗａ…電力供給用配線、Ｗｂ…通信用配線。
【図１】
2008184780.tif 000003
【図２】
2008184780.tif 000004
【図３】
2008184780.tif 000005
【図４】
2008184780.tif 000006